(57)【要約】      （修正有）【課題】ハードディスクの使用量を示す表示部を設けた外付けハードディスクドライブのケースを提供する。【解決手段】ユーザーから視認できる位置に、ハードディスクの使用量をコストによって複数に分割して表示する表示部を備えることを特徴とする。本外付けハードディスクドライブのケースによれば、ハードディスクの使用量を示す表示部が備わるため、ハードディスクの使用量がひと目でわかり、ハードディスクの残り容量を気にすることなく、ＰＣを使用でき、地上波デジタル放送を録画することが可能となる。【選択図】図１
0003164867.tif 000002
【実用新案登録請求の範囲】
【請求項１】
ユーザーから視認できる位置に、ハードディスクの使用量を複数に分割して表示する表示部を備えることを特徴とする外付けハードディスクドライブのケース。
【請求項２】
前記表示部は複数のＬＥＤを備えることを特徴とする請求項１に記載の外付けハードディスクドライブのケース。
【請求項３】
前記複数のＬＥＤは相異なる色が選択されることを特徴とする請求項１又は２に記載の外付けハードディスクドライブのケース。
【考案の詳細な説明】
【技術分野】
【０００１】
本発明は、外付けハードディスクドライブ（ＨＤＤ）のケースに関し、特に、ハードディスクの使用量の表示を付加した外付けハードディスクのケースに関するものである。
【背景技術】
【０００２】
外付けハードディスクドライブ（ＨＤＤ）は、パーソナルコンピュータ（ＰＣ）の付加的な外部記憶装置として主に使用される。近年では、ハイビジョンテレビ（ＨＤＴＶ）や地上デジタルチューナーなどの映像装置の外部記憶装置としても使用されるようになり、その用途は拡大している。
【０００３】
ここで、ＰＣやＨＤＴＶに内蔵されたＨＤＤについては、ＰＣやＨＤＴＶの画面を通じて、ハードディスクの使用量を確認することが可能である。
【０００４】
しかしながら、外付けＨＤＤはハードディスクの使用量の表示がないため、ユーザーはハードディスクの使用量や残量を外部から確認することができない。
【０００５】
ユーザーに物理量の残量を通知する技術には、例えば、メモリ空間の残量をユーザに通知する残量インジケータを、当該残量インジケータがユーザによって振り動かされると、当該残量インジケータのケーシングに対して相対的に変位させられるマス部と、アクチュエータと、マス部の変位可能量を可変に制限する可動リミッタと、残量に応じて可動リミッタが移動させられるようにアクチュエータを制御するコントローラとを含む残量インジケータがある（例えば、特許文献１参照）。
【先行技術文献】
【特許文献】
【０００６】
【特許文献１】特開2009-032137号公報
【考案の概要】
【考案が解決しようとする課題】
【０００７】
しかしながら、特許文献１に記載の技術では、アクチュエータがメカニカルな機構であることからコスト的に高くなり、また、汎用性に欠けるという問題がある。
【０００８】
本考案は、このような従来の問題を解決するためになされたもので、外付けハードディスクドライブのケースに、ハードディスクの使用量を示す表示部を設けた外付けハードディスクドライブのケースを提供しようとするものである。
【課題を解決するための手段】
【０００９】
本考案の外付けハードディスクドライブのケースは、ユーザーから視認できる位置に、ハードディスクの使用量をコストによって複数に分割して表示する表示部を備えることを特徴とする。
【考案の効果】
【００１０】
本考案の外付けハードディスクドライブのケースによれば、ハードディスクの使用量を示す表示部が備わるため、ハードディスクの使用量がひと目でわかり、ハードディスクの残り容量を気にすることなく、ＰＣを使用でき、地上波デジタル放送を録画することが可能となる。
【図面の簡単な説明】
【００１１】
【図１】本実施形態の外付けハードディスクドライブのケースの正面図である。
【考案を実施するための形態】
【００１２】
以下、本考案の外付けハードディスクドライブのケースについて、図を参照して詳細に説明をする。
【００１３】
図１は、本考案の外付けハードディスクドライブのケースの正面図である。一般に、外付けハードディスクドライブのケースは直方体の形状を有しており、その正面に表示部１０が備わる。なお、外付けハードディスクドライブのケースは直方体に限られず、他の形態を有してもよく、ユーザーから視認できる位置に表示部１０が備わればよい。
【００１４】
また、本実施形態のハードディスクドライブのケースは、表示部１０の表示を制御するための、不図示のプロセッサとメモリを備える。
【００１５】
プロセッサは、ＣＰＵ（Central Processing Unit）やＭＰＵ（Micro Processing Unit）などを用いることができる。メモリは、ＲＡＭ（Random Access Memory）、ＲＯＭ（Read Only Memory）、ＤＲＡＭ（Dynamic Random Access Memory）などを用いることができる。プロセッサがメモリに記憶された表示部１０の表示制御プログラムを実行することで、表示部１０の点灯表示が制御される。また、表示制御処理の一部または全部をＡＳＩＣ（Application Specific Integrated Circuit）などの専用の回路によって実行してもよい。
【００１６】
表示部１０には、ハードディスク使用量表示部１、電源表示部２、及び、アクセス表示部３が備わる。
【００１７】
電源表示部２は、外付けハードディスクドライブの電源がＯＮした場合に点灯する。電源表示部２にはＬＥＤを用いることができる。
【００１８】
アクセス表示部３は、外付けハードディスクドライブのハードディスクにアクセスがあった場合に点灯する。アクセス表示部３にはＬＥＤを用いることができる。
【００１９】
ハードディスク使用量表示部１は、ハードディスクの使用量をコストによって10〜90％の10分割表示、或いは、製品コストを下げるために、実用性十分な10％、30％、50％、70％、及び90％の6分割や、30％（１ａ）、50％（１ｂ）、70％（１ｃ）、及び90％（１ｄ）の4分割に表示するものである。図１では一例として4分割に表示する場合を示す。もちろん他の分割法も可能である。
【００２０】
ハードディスク使用量表示部１の各表示部１ａ〜１ｄにはＬＥＤを用いることができる。ハードディスク使用量表示部１の各表示部１ａ〜１ｄの配列はユーザーに視認しやすいように配列すればよく、配列位置及び配列方向に限定はない。
【００２１】
このハードディスク使用量表示部１は、上述のようにプロセッサがメモリに記憶された表示制御プログラムを実行することで制御される。例えば、プロセッサが定期的にハードディスクドライブにアクセスして、ハードディスクドライブの使用量を検知し、使用量に応じてハードディスク使用量表示部１の対応するＬＥＤを点灯させる。
【００２２】
図１に示す４分割表示の場合には、プロセッサがハードディスクドライブにアクセスして、ハードディスクドライブの使用量が３０％に達したことを検知したら、３０％のＬＥＤ１ａを点灯させ、５０％に達したと検知したらＬＥＤ１ｂを点灯させ、７０％に達したと検知したらＬＥＤ１ｃを点灯させ、９０％に達したと検知したらＬＥＤ１ｄを点灯させる。
【００２３】
なお、ハードディスク使用量表示部１の各表示部１ａ〜１ｄは、ＬＥＤの色を自由に選んでもよい。さらに、例えば、残量が少ないことをわかりやすく表示するために、90％表示のＬＥＤ１ｄのみ色を変えてもよく設計の自由度は高い。
【００２４】
また、例えば使用量が90％に達したら90％表示のＬＥＤ１ｄを点滅させる、或いは、10〜90％表示のＬＥＤをすべて点灯させ、ユーザーにハードディスクの残量が無いことを認識させてもよい。点滅表示処理や全点灯処理などは、上述したプロセッサがメモリに記憶された表示制御プログラムを実行することで行われる。また、図１において、ハードディスク使用量表示部１は、各表示部１ａ〜１ｄについて上から順に使用量が３０％〜９０％に対応するとして示したが、これに限られるものではなく、下から順に３０％〜９０％であってもよい。
【００２５】
以上説明したように、本実施形態の外付けハードディスクドライブのケースによれば、ハードディスクの使用量を示す表示部が備わる。そのため、例えば、ハードディスクドライブを本実施形態のケースに収容し、ＰＣの外付けＨＤＤやテレビの放送を録画するための記憶装置として用いた場合に、ＰＣやテレビの画面に残量を表示させたりすること無く、ハードディスクの使用量をひと目で認識することができ、ハードディスクの残り容量を気にすることなく、安心してＰＣを使用でき、地上波デジタル放送を録画することが可能となる。
【００２６】
さらに、ＰＣやＨＤＴＶの電源を切っても、外付けハードディスクドライブの電源が入っていればＨＤＤの使用量がひと目でわかるため、事前にＨＤＤの交換等の作業ができ、撮りたい録画を安心して撮りためることが可能となる。
【符号の説明】
【００２７】
１０：本実施形態の外付けハードディスクドライブの表示部
１：ハードディスク使用量表示部
２：電源表示部
３：アクセス表示部
【図１】
0003164867.tif 000003
【手続補正書】
【提出日】平成22年10月20日(2010.10.20)
【手続補正１】
【補正対象書類名】実用新案登録請求の範囲
【補正対象項目名】全文
【補正方法】変更
【補正の内容】
【実用新案登録請求の範囲】
【請求項１】
直方体状の外付けハードディスクドライブのケースであって、該ケースを構成する６面のうち底面を除くいずれかの面に、ハードディスクの使用量を複数に分割して表示する表示部を備えることを特徴とする外付けハードディスクドライブのケース。
【請求項２】
前記表示部は複数のＬＥＤを備えることを特徴とする請求項１に記載の外付けハードディスクドライブのケース。
【請求項３】
前記複数のＬＥＤは相異なる色が選択されることを特徴とする請求項２に記載の外付けハードディスクドライブのケース。
【手続補正２】
【補正対象書類名】明細書
【補正対象項目名】０００９
【補正方法】変更
【補正の内容】
【０００９】
本考案の外付けハードディスクドライブのケースは、直方体状の外付けハードディスクドライブのケースであって、該ケースを構成する６面のうち底面を除くいずれかの面に、ハードディスクの使用量をコストによって複数に分割して表示する表示部を備えることを特徴とする。